(57)【特許請求の範囲】
【請求項１】
ドアの側面に該側面から水平方向に離間し、且つ軸芯が鉛直方向に延びる姿勢で固設されるドア側棒状部材と、
ドア側棒状部材が出入りする側面が開口するドア側棒状部材収容部を有する略円筒状の床側固定部材と、該床側固定部材に、該開口を「開」とする位置と該開口を「閉」とする位置間で回動自在となるように嵌合されるカバー部材とを有する円柱状の床側部材と、を備え、
該床側固定部材は、床側固定本体部と該床側固定本体部に挿入される挿入部材と該挿入部材の裏面に装着される平面視が略馬蹄形状の金属片からなり、該挿入部材は、所定の高さを有し先広がりの開口を有する平面視が略馬蹄形状の樹脂製であることを特徴とする戸当り。
【請求項２】
前記カバー部材の下端部の内周面には、円弧状突起が軸対象で２つ形成され、前記床側固定部材の下方部の周面に、該カバー部材が嵌る２つの円弧状の嵌合溝が形成されていることを特徴とする請求項１記載の戸当り。
【請求項３】
前記床側固定部材の外周面であって、軸芯を中心として前記開口と対向する位置には、前記カバー部材を上から嵌め込む際、カバー部材に形成された円弧状突起を回避する円周方向の長さが、円弧状突起の円弧状長さよりやや大きい凹部が形成されていることを特徴とする請求項２記載の戸当たり。
【請求項４】
前記ドア側棒状部材収容部を形成する壁は、鉛直壁であることを特徴とする請求項１〜３のいずれか１項に記載の戸当り。
【請求項５】
前記鉛直壁は、樹脂製の表層と金属製の内層の２層構造であることを特徴とする請求項４記載の戸当り。
【発明の詳細な説明】
【技術分野】
【０００１】
本発明は、ドアを開き状態に維持するキャッチ機能とドアが壁面に衝突することを防止するストッパー機能の両機能を床側部材に付与した戸当りに関するものである。
【背景技術】
【０００２】
従来、家屋の各部屋に設置されるドアを開く際、壁面への激突を防止すると共に、開き状態に維持する手段として、床付け戸当たりが知られている。一般的には、激突を避ける壁の手前の床面にドアと対向する面に緩衝材を付設すると共にリング状の係り具を設けた床付け戸当たりと、ドアの略先端部に付設される該係り具が架かるフック状の係合部材とからなるものが使用されている。
【０００３】
近年、改良された種々の形態の戸当たりが提案されている。特許文献１の特開２０００−４５６０６号公報には、床に固定する戸当たり本体と、ドアに固定し、該戸当たり本体の上端部と保持可能に形成した係止体とから構成し、戸当たり本体、係止体のいずれか一方に保持力調整手段を配設した戸当たりが開示されている。また、特許文献２の特開２０００−２４８８０８号公報には、弾性材料製の戸当たり部に、扉に設けられた磁着部を磁着するマグネットあるいは磁性材料製の扉仮保持部を係合させ並設してなる戸当たり装置が開示されている。また、特許文献３の特開平１０−２５２３３６号公報には、取付片にストッパ杆を、該ストッパ杆の先端に形成した突出片が水平方向及び上下方向に移動可能に、かつ、ばねにより一方向に付勢されるように配設したストッパー可動体と、ストッパー可動体のストッパ杆の先端に形成した突出片を導く高低差を付けた往路、係止部、復路からなる溝を形成したストッパー固定体とからなる戸当りが開示されている。
【０００４】
また、特許文献４の特開平１１−８１７９０号公報には、上枠に固定されて扉の開放側に延びるアームと、アームの先端に取り付けられたストッパ部と、扉の上部に固定されストッパ部をキャッチする受け部材とからなり、ストッパ部を保持し扉の閉鎖操作力で保持が解除されるキャッチ構造を備えてなる戸当たり構造において、前記受け部材には対のキャッチ片が対向して設けられ、この対のキャッチ片がそれぞれ独立して出没する戸当たり構造が開示されている。
【特許文献１】特開２０００−４５６０６号公報（特許請求の範囲、図１、図２）
【特許文献２】特開２０００−２４８８０８号公報（特許請求の範囲、図１）
【特許文献３】特開平１０−２５２３３６号公報（請求項１）
【特許文献４】特開平１１−８１７９０号公報（請求項１）
【発明の開示】
【発明が解決しようとする課題】
【０００５】
しかしながら、上記各公報に記載の戸当たりは、戸当たり本体と係止体の係合が必ずしも十分ではないという問題がある。また、ドアを開く際、壁面への激突を防止するだけのストッパー機能が求められる場合には、該ストッパー機能に不要な係止部材が露出しているため、使用し難いものであった。また、ドアが壁面に激しく当たると破損し易い構造であった。従って、ドアを開き状態に維持するキャッチ機能とドアが壁面に衝突することを防止するストッパー機能の両機能を床側部材に付与すると共に、ストッパーとして使用する場合には、余分な部材が露出しない単純な形状にすることができる戸当りの登場が望まれていた。
【０００６】
従って、本発明の目的は、ドアを開き状態に維持するキャッチ機能とドアが壁面に衝突することを防止するストッパー機能の両機能を床側部材に付与すると共に、ストッパーとして使用する場合には、余分な部材が露出しない単純な形状にすることができる戸当りを提供することにある。
【課題を解決するための手段】
【０００７】
すなわち、本発明は、ドアの側面に該側面から水平方向に離間し、且つ軸芯が鉛直方向に延びる姿勢で固設されるドア側棒状部材と、ドア側棒状部材が出入りする側面が開口するドア側棒状部材収容部を有する略円筒状の床側固定部材と、該床側固定部材に、該開口を「開」とする位置と該開口を「閉」とする位置間で回動自在となるように嵌合されるカバー部材とを有する円柱状の床側部材と、を備え、該床側固定部材は、床側固定本体部と該床側固定本体部に挿入される挿入部材と該挿入部材の裏面に装着される平面視が略馬蹄形状の金属片からなり、該挿入部材は、所定の高さを有し先広がりの開口を有する平面視が略馬蹄形状の樹脂製であることを特徴とする戸当りを提供するものである。
【発明の効果】
【０００８】
本発明によれば、ドアを開け、ドア側棒状部材を床側部材のドア側棒状部材収容部に収容し、カバー部材を開口が閉となる位置まで手で回せば、ドア側棒状部材を封じ込めるため、ドアを開いた状態に安定して維持することができる。また、本発明の戸当りは、床付けのため、カバー部材の操作は誰でも可能である。これに対して、従来の特開平１１−８１７９０号公報の戸当り構造では、戸当り構造が上枠に固定されているため背の低い者にとっては操作し難い。また、予め、床側部材のカバー部材を開口が閉となる位置にセットしておけば、ドアの壁面への衝突を防止するストッパーとして使用することができると共に、床側部材の形状が余分な部材が露出しないシンプルな円柱形状となり、使用し易い。
【発明を実施するための形態】
【０００９】
次に本発明の実施の形態における戸当りを図１〜図１２を参照して説明する。図１は本例の戸当りの斜視図、図２は床側部材の分解斜視図、図３は図１の床側部材を反対側から見た分解斜視図、図４は図１の戸当りを反対側から見た斜視図、図５は図１の戸当りを上から見た斜視図、図６は図１の戸当りであって、ドア側棒状部材が床側部材のドア側棒状部材収容部に嵌った図、図７は図６の戸当りを上から見た図、図８は図６の状態からカバー部材を回し開口を閉とした状態の図、図９は図８の戸当りを上から見た図、図１０は床側固定部材の分解斜視図、図１１は、図１０の床側固定部材を裏側から見た分解斜視図、図１２は本例の床側固定部材の断面図である。なお、図７及び図９のドア側棒状部材は実線で示した。
【００１０】
戸当り１０は、ドア面に固定されるドア側部材１と床面に設置される床側部材２とからなる。ドア側棒状部材１１は、ドアＡの側面に該側面から水平方向に離間し、且つ軸芯が鉛直方向に延びる姿勢で固設される。本例では、円柱状のドア側棒状部材１１を所定高さ（水平方向長さ）と所定長さ（鉛直方向長さ）を有する略台形断面の柱状体（取り付け部材）１２を介在させてドア面に設置している。また、円柱状のドア側棒状部材１１の下方端部は、柱状体１２の下端より下方に突出している。当該突出部はドア側棒状部材収容部に嵌り込む部分であり、その長さは、開口を閉とする際、カバー部材の回動が障害とならないようの適宜決定される。なお、符号１３はビス穴である。
【００１１】
床側部材２は、図２及び図３に示すように、床面に固定される床側固定部材２１と、床側固定部材２１に回動自在に嵌合されるカバー部材２２とからなる。床側固定部材２１は、ドア側棒状部材１１が出入りする側面が開口するドア側棒状部材収容部２６を有する略円筒状である。図２及び図３中、符号２３が開口である。なお、略円筒状の「略」としたのは、後述するように、円板状の底部（鍔部）を有する形態を含み、また開口部を有するため文字通りの円筒状とは異なる形態を含むためである。
【００１２】
床側固定部材２１は、本例では、床面に裏面が当接する床側固定部材本体２１２の外径より大の外径を有する円板状の底部２１１を有する。これにより、床面に対してビス止めし易くなると共に、カバー部材２２が嵌合されると、外観がシンプルな円柱状となる。
【００１３】
床側固定部材本体２１２の開口２３の左右方向における開口寸法（開口幅）は、ドア側棒状部材１１の直径の約１．５倍〜２倍とし、中心側に向けて徐々に縮径としている。これにより、ドア側棒状部材１１が入り易くなると共に、固定状態においてはドア側棒状部材１１の固定安定性が高まる。ドア側棒状部材収容部２６は、床側固定部材２１の開口側と天井とが共に開口する内径がドア側棒状部材１１よりやや大きい径を有する空間部である。
【００１４】
床側固定部材本体２１２の下方部の周面２１３には、カバー部材２２の円弧状突起２２３が嵌る嵌合溝２１４が形成されている。嵌合溝２１４は嵌合溝が形成されない２つの周面２１３、２１３を挟んだ２つの円弧状溝からなる。従って、２つの円弧状溝の１つの円弧状溝の円弧の長さは半円弧よりやや短い長さである。これにより、カバー部材２２に形成された円弧状突起２２３の円弧長さを比較的長く採れ、所定の回動範囲内の円滑な回動を実現できる。カバー部材２２の周方向の移動距離（回動範囲）は、１つの円弧状溝の円弧の長さからカバー部材２２の円弧状突起２２３の円弧長さを差し引いた長さである。この長さ（回動範囲）は床側部材２の開口の最大幅よりやや大である。なお、嵌合溝２１４が形成される周面２１３は、開口２３より下方の位置にある。
【００１５】
床側固定部材２１は本例では二層壁構造となっており、ドア側棒部材収容部２６を形成する壁部は、嵌め込まれた挿入部材２４１となっている。挿入部材２４１を嵌め込むことで、ドア側棒状部材１１が激突しても耐える強度を付与できると共に、その激突の衝撃を緩和することもできる。
【００１６】
すなわち、挿入部材２４１は、所定の高さを有する平面視が略馬蹄形状のものであり、開口部２４４の間口を先広がりとして、ドア側棒状部材１１が入り易いようにしている。挿入部材２４１は樹脂製とすることが、金属製のドア側棒状部材１１との激突による金属音を防止すると共に、衝撃を緩和することができる点で好適である。また、挿入部材２４１の裏面には挿入部材２４１の高さ寸法より小さな高さ寸法の平面視が略馬蹄形状の金属片２４２が装着される（図１０及び図１１）。これにより、挿入部材２４１の強度が高まり、ドア側棒状部材１１の激突に耐えることができる。
【００１７】
挿入部材２４１は、後方裏側上下に係合片２４５を有しており、床側固定部材２１の外層部材の切り欠き部２１６に嵌め込まれ易いようになっている。挿入部材２４１は、床側固定部材２１の外層部材２１２ａの内側に隙間なく嵌め込まれ、床側固定部材２１の外層部材２１２ａの上端面と面一となる。また、ドア側棒状部材１１が入り込む開口と反対側の壁、すなわち開口を除く壁は鉛直壁であり、ドア側棒状部材１１のキャッチ安定性が優れたものとなる。また、この鉛直壁は樹脂製の表層と金属製の内層の２重構造となり、形状保持性と強度が優れたものとなる。また、挿入部材２４３の天面には、半円弧状の突起２４１を有しており、半円弧状の突起２４１とカバー部材２２の裏面との接触を部分接触とすることにより、カバー部材２２の円滑な回動を可能としている。
【００１８】
床側固定部材２１の外周面には、カバー部材２２が嵌め込まれる際、カバー部材２２に形成された円弧状突起２２３を回避する凹部２１５が形成されている（図２及び図１１）。従って、凹部２１５の円周方向の長さ（円弧状の幅長さ）は、円弧状突起２２３の円弧状長さよりやや大きいものである。これにより、円弧状突起２２３が凹部２１５に嵌め込むことができる。なお、床側固定部材２１の外周面において、軸芯を中心として凹部２１５と対向する位置には、もうひとつの凹部２１５が形成されていないが、当該位置は開口に相当する部分に掛かるものであり、また、円弧状突起２２３の突起高さも小さいことから嵌合に支障をきたすことはない。
【００１９】
床側固定部材２１の底面には、ビスが通る貫通穴とビス頭が嵌る凹部３５が２箇所形成されている。これにより、床側固定部材２１を床面にビスで固定できると共に、ビス頭がドア側棒状部材収容部２６に突出することはない。また、床側固定部材２１の底面は、二段凹部となっており、更に板状のビス頭隠し部材２１７が嵌り込むようになっている（図１０及び図１１）。ビス頭隠し部材２１７が底面の凹部に嵌合することで、底面は面一となる。ビス頭隠し部材２１７のやや開口側には貫通孔２１９が形成されている。これにより、例えば戸当り１０を分解する際、ドライバーの先端や鉛筆の先端を貫通孔２１９に差し込み、先端を上げることでビス頭隠し部材２１７を容易に外すことができる。また、ビス頭隠し部材２１７の開口側には面取り部２１８を形成することで、ドア側棒状部材１１の入りを円滑にしている。
【００２０】
カバー部材２２は床側固定部材２１に、開口２３を「開」とする位置と開口２３を「閉」とする位置間で回動自在となるように嵌合されるものである。カバー部材２２は本例では、円筒のキャップ状物の天板部分と側板部分の一部がくり抜かれこれを開口２２１とした形状のものである。開口２２１の形状は平面視で略扇状であり、正面視で四角形状である。開口２２１のドア側棒状部材１１の出入り側は、敷居部２２２が形成され、カバー部材２２の円筒形状を保持している。また、天井の開口２２１周りの縁部材は内側に曲げられ、リブ構造となっている。また、カバー部材２２の下端部の内周面には、円弧状突起２２３が軸芯対象で２つ形成されている。
【００２１】
カバー部材２２は、内カバー部材と外カバー部材が嵌め込まれた二重構造とすることができる。この二重構造において、外カバー部材を内カバー部材より軟質な部材とすれば、戸当りをストッパーとして使用する場合、ドア側棒状部材１１の激突に対してクッション材となり、ドア側棒状部材１１を傷付けることがない。また、カバー部材２２の外周面には、突起４０が形成されている。これにより、突起４０に指が掛るため、カバー部材２２を簡単に回すことができる。
【００２２】
次に、戸当りの組み付け方法の一例について説明する。図１１〜図１２に示すように、床側固定部材２１の外層部材２１２ａの底板２１１を床面にビスで固定する。ビス止めは床側固定部材２１の外層部材２１２の底板２１１に形成された２つのビス穴を利用する。次いで、ビス頭隠し部材２１７を床側固定部材２１の外層部材２１２の底面に挿入し、嵌め込む。これにより、ビス頭が隠れると共に、底面が平坦面となる。次いで、挿入部材２４１を外層部材２１２の内側面に挿入し、嵌め込む。挿入部材２４１には予め馬蹄形状の金属片２４２を裏面に装着しておく。次いで、カバー部材２２を装着する。カバー部材２２の装着に際して、床側固定部材２１の外層部材２１２の外周面の凹部２１５に、カバー部材２２の円弧状突起２２３のひとつが合致するようにし、且つ床側固定部材２１の外層部材２１２の開口とカバー部材２２の開口が合致するよう上下位置を決定する（図３）。両者の上下位置が合えば、その位置からカバー部材２２を床側固定部材２１に対して、カバー部材２２の円弧状突起２２３が床側固定部材２１の嵌合溝２１４に嵌合するまで下方に押し込む。これにより戸当り１０が得られる。
【００２３】
次に、戸当り１０の使用方法を説明する。戸当り１０は、ドアを開き状態に維持するキャッチ機能とドアが壁面に衝突することを防止するストッパー機能の両方を備える。先ず、戸当り１０のドアを開き状態に維持する機能について、図４、図６及び図８を参照して説明する。床側部材２は床側固定部材２１の開口及びカバー部材２２の開口が合致するようにしておく（図４）。この状態においてドアＡが開けられる。ドアＡが更に開けられると、ドア側棒状部材１１の先端部分が床側部材２の開口２３に入り、更には床側部材２のドア側棒状部材収容部２６に入り込む。この際、ドアＡが激しく開けられドア側棒状部材１１が床側固定部材２１の挿入部材２４１の鉛直壁に激突しても、この鉛直軸は２層構造であり、内層の金属片で補強され外層の樹脂で覆われているため、金属音を発することなく安定してドア側棒状部材１１をキャッチすることができる（図６）。
【００２４】
次いで、カバー部材２２の突起４０を回動が止まるまで指で矢印方向に回転させ、開口を閉状態とする（図８）。これにより、ドア側棒状部材１１を床側部材２の中に閉じ込めることができる。この状態であれば、ドアＡに如何なる力が作用してもドアＡが閉まることはない。このように、戸当り１０は、ドアを開き状態に安定して維持することができる。また、ドアＡを閉める際は、カバー部材２２の突起４０を回動が止まるまで指で矢印方向と反対方向に回転させて、開口を開状態とする（図６）。そして、ドアＡを閉めればよい。
【００２５】
次に、戸当り１０のドアのストッパー機能について、図１３及び図１４を参照して説明する。図１３は本例の戸当りのドアのストッパー機能を説明する図、図１４は図１３の戸当りの平面図である。戸当り１０をドアのストッパーとして使用するには、先ず、床側部材２のカバー部材２２を回して、予め開口が閉状態となるようにしておく。次いで、ドアＡが開けられると、戸当り１０のカバー部材２２の側面に衝突するため、ドアＡが壁面に衝突することがない。この際、カバー部材２２を二重構造として、外層を内層よりも軟質の部材としておけば、ドア側棒状部材１１と床側部材２の衝突を緩和させることができる。このように、戸当り１０は、キャッチ機能のみならず、ストッパー機能も有する。
【００２６】
本発明の戸当り１０は、上記実施の形態に限定されず、種々の変形例を採り得る。すなわち、ドア側棒状部材１１の形状は、上記円柱部材に限定されず、例えば、四角形断面形状の柱状体であってもよい。また、床側固定部材２１は裏面が床面に当接する円板状の底部２１１が省略されたものであってよい。また、床側固定部材２１のドア側棒状部材収容部を形成する鉛直壁は、上記挿入部材による方法としなくとも、挿入部材が予め嵌め込まれた一体構造となるような形態のものであってもよい。
【産業上の利用可能性】
【００２７】
本発明の戸当りは家屋等の各部屋に設置できる。特に、この戸当りはドアを開き状態に維持するキャッチ機能とドアが壁面に衝突することを防止するストッパー機能の両方を備えるため、部屋の用途、部屋の使用者、あるいは当初目的の変化などに応じてどの機能を利用するかを選択できるため便利である。
【図面の簡単な説明】
【００２８】
【図１】本例の戸当りの斜視図である。
【図２】床側部材の斜視図である。
【図３】図１の床側部材を反対側から見た斜視図である。
【図４】図１の戸当りを反対側から見た斜視図である。
【図５】図１の戸当りを上から見た斜視図である。
【図６】図１の戸当りであって、ドア側棒状部材が床側部材のドア側棒状部材収容部に嵌った図である。
【図７】図６の戸当りを上から見た図である。
【図８】図６の状態からカバー部材を回し開口を閉とした状態の図である。
【図９】図８の戸当りを上から見た図である。
【図１０】床側固定部材の分解斜視図である。
【図１１】図１０の床側固定部材を裏側から見た分解斜視図である。
【図１２】本例の床側固定部材の断面図である。
【図１３】本例の戸当りのドアの壁面衝突防止機能を説明する図である。
【図１４】図１３の戸当りの平面図である。
【符号の説明】
【００２９】
１ ドア側部材
２ 床側部材
１０ 戸当り
１１ ドア側棒状部材
１２ 略台形断面の柱状体（取り付け部材）
１３ ビス穴
２１ 床側固定部材
２２ カバー部材
２３ 開口
２６ ドア側棒状部材収容部
４０ 突起
２１１ 底部
２１４ 嵌合溝
２２３ 円弧状突起
Ａ ドア
【図１】
0005260137.tif 000002
【図２】
0005260137.tif 000003
【図３】
0005260137.tif 000004
【図４】
0005260137.tif 000005
【図５】
0005260137.tif 000006
【図６】
0005260137.tif 000007
【図７】
0005260137.tif 000008
【図８】
0005260137.tif 000009
【図９】
0005260137.tif 000010
【図１０】
0005260137.tif 000011
【図１１】
0005260137.tif 000012
【図１２】
0005260137.tif 000013
【図１３】
0005260137.tif 000014
【図１４】
0005260137.tif 000015